(57)【要約】【課題】理想切断線から若干ずれた位置で切断が行われた場合にも、完成品であるタグの端部に尖った部分が形成されることがないタグ製造用紙葉体を提供することを課題とする。【解決手段】タグ製造用紙葉体１には、１枚のタグとなるべき紙葉体１０が複数枚列状に連設されている。隣接する２枚の紙葉体１０の境界線が理想切断線２０となる。理想切断線２０の両端部はそれぞれ切欠部３０の中央に位置している。理想切断線２０の端部には、その端部に一端が一致している２本の切断線４０が形成されている。【選択図】　　　図１
2004037792.tif 000002
【特許請求の範囲】
【請求項１】
製造されるべきタグとなる紙葉体が複数枚列状に連設され、隣接する２枚の前記紙葉体の境界線である理想切断線の両端部にそれぞれ切欠部が形成されているタグ製造用紙葉体において、
前記理想切断線の端部が中央に位置するように前記切欠部は形成され、当該理想切断線の端部には、当該端部に一端が一致するあらかじめ定められた長さを有する２本の切断線が形成されていることを特徴とするタグ製造用紙葉体。
【請求項２】
前記切断線は直線であることを特徴とする請求項１に記載のタグ製造用紙葉体。
【請求項３】
前記切断線は曲線であることを特徴とする請求項１に記載のタグ製造用紙葉体。
【請求項４】
前記理想切断線の端部において、当該理想切断線と前記切断線とのなす角は鋭角であることを特徴とする請求項１ないし請求項３のいずれかの項に記載のタグ製造用紙葉体。
【発明の詳細な説明】
【０００１】
【発明の属する技術分野】
本発明は、靴下等の商品に付される価格や原材料等が表示されているタグ（ｔａｇ）の製造に使用するタグ製造用紙葉体に関するものである。
【０００２】
【従来の技術】
図６に示すように、靴下Ｓなどの商品には、通常、価格や原材料等を表示したタグＴが付されている。
【０００３】
このようなタグＴの製造は、以下のようにして行われている。
【０００４】
先ず、図７に示したようなタグ製造用紙葉体１を形成する。このタグ製造用紙葉体１は、１枚のタグとなるべき紙葉体１０が複数枚列状に連設された大きさを有する紙葉体である。このタグ製造用紙葉体１に、タグに必要とされる印刷を施した後、各紙葉体１０を機械で切り離して図８に示したようなタグＴを製造する。
【０００５】
ここで図８に示した完成品としてのタグＴの四角が角張っていると、商品や使用者を傷つけてしまう虞れがある。従って、タグＴの四角が角張らないように、図７に示したタグ製造用紙葉体１には、端縁部が曲線となるような切欠部３０があらかじめ形成されている。
【０００６】
この切欠部３０は、隣接する２枚の紙葉体１０の境界線である理想切断線２０の両端部にそれぞれ形成されるものであり、また、この切欠部３０はその中央部に理想切断線２０の端部が位置するように位置決めされて形成されるものである。
【０００７】
【発明が解決しようとする課題】
しかしながら、このような構成のタグ製造用紙葉体１を機械で切断する際、様々な原因からその切断位置が、図９に示したように理想切断線２０から若干ずれた位置ａになってしまうことがある。このように理想切断線から若干ずれた位置ａで切断が行われた場合には、図１０に示したように、１枚のタグとなるべき紙葉体１０の端部に、商品や使用者を傷つける虞れのある尖った部分１０ａが形成されてしまうという問題があった。
【０００８】
本発明の目的は、理想切断線から若干ずれた位置で切断が行われた場合にも、完成品であるタグの端部に尖った部分が形成されることがないタグ製造用紙葉体を提供することにある。
【０００９】
【課題を解決するための手段】
以上の目的を達成するために本発明は、製造されるべきタグとなる紙葉体が複数枚列状に連設され、隣接する２枚の前記紙葉体の境界線である理想切断線の両端部にそれぞれ切欠部が形成されているタグ製造用紙葉体において、
【００１０】
前記理想切断線の端部が中央に位置するように前記切欠部は形成され、当該理想切断線の端部には、当該端部に一端が一致するあらかじめ定められた長さを有する２本の切断線が形成されていることを特徴とするものである。
【００１１】
【発明の実施の形態】
以下、図面を用いて本発明の実施形態を説明する。
【００１２】
図１は本発明の一実施形態の構成を示した平面図である。本実施形態の構成が、図７に示した従来のタグ製造用紙葉体１の構成と異なるところは、本実施形態では、理想切断線２０の端部に、その端部に一端が一致するあらかじめ定められた長さの２本の切断線４０が形成されているところである。
【００１３】
図２は切欠部３０付近の構成を示した拡大図である。図２に示すように、一端が理想切断線２０の端部と一致する２本の切断線４０は、その他端４１と理想切断線２０との距離Ｘが、切欠部３０の幅の半分の幅Ｙよりも大きくなるようにその長さが選ばれている。また理想切断線２０の端部における、理想切断線２０と切断線４０とのなす角Ａが鋭角となるように２本の切断線４０はそれぞれ形成されている。
【００１４】
以上のように構成された本実施形態を図３で示す３つの位置ａ，ｂ，ｃでそれぞれ切断した場合の紙葉体１０の端部の状態を図４（ａ），（ｂ），（ｃ）にそれぞれ示す。ここで、ｂは理想切断線と一致する位置であり、ａは理想切断線から若干上にずれた位置であり、ｃは若干下にずれた位置である。
【００１５】
図４（ａ）ないし（ｃ）で示したようにどの位置で切断が行われても、本実施形態においては、紙葉体１０の端部に、図１０で示した尖った部分１０ａは形成されない。これは、理想切断線２０から若干ずれた位置（ａまたはｃ）で切断が行われた場合には、尖った部分１０ａは一旦形成されるが、この形成された尖った部分１０ａは切断線４０が存在していることにより紙葉体１０の端部から排除されてしまうからである。
【００１６】
このように本実施形態においては、理想切断線の位置から若干ずれた位置で切断が行われても、完成品であるタグの端部に尖った部分が形成されることはない。
【００１７】
なお、以上説明した実施形態においては、切断線４０が直線となるように形成されているが、この切断線は直線に限られるものではなく、例えば図５に示すような曲線で形成してもよい。
【００１８】
【発明の効果】
以上説明したように本発明によれば、理想切断線から若干ずれた位置で切断が行われた場合にも、完成品であるタグの端部に尖った部分が形成されることがないタグ製造用紙葉体を提供することができる。
【図面の簡単な説明】
【図１】本発明の一実施形態の構成を示す平面図である。
【図２】本発明の一実施形態の構成を示す説明図である。
【図３】本発明の一実施形態の構成を示す説明図である。
【図４】本発明の一実施形態の構成を示す説明図である。
【図５】本発明の一実施形態の構成を示す説明図である。
【図６】従来例の説明図である。
【図７】従来例の構成を示す平面図である。
【図８】従来例の説明図である。
【図９】従来例の説明図である。
【図１０】従来例の説明図である。
【符号の説明】
１　タグ製造用紙葉体
１０　紙葉体
２０　理想切断線
３０　切欠部
４０　切断線
４１　端部
Ｓ　靴下
Ｔ　タグ
Ｘ，Ｙ　距離
ａ，ｂ，ｃ　位置
【図１】
2004037792.tif 000003
【図２】
2004037792.tif 000004
【図３】
2004037792.tif 000005
【図４】
2004037792.tif 000006
【図５】
2004037792.tif 000007
【図６】
2004037792.tif 000008
【図７】
2004037792.tif 000009
【図８】
2004037792.tif 000010
【図９】
2004037792.tif 000011
【図１０】
2004037792.tif 000012